(57)【特許請求の範囲】
【請求項１】
複数のタッチ駆動電極と、
複数のタッチ検知電極と、
を備え、
前記複数のタッチ駆動電極と前記複数のタッチ検知電極は、インセル型タッチ表示パネルの表示領域に位置して交差して設置され、
前記複数のタッチ駆動電極の各々の両端は、第１の接続ワイヤーにそれぞれ結合されることにより、前記第１の接続ワイヤーを経由して互いに電気的に接続され、
前記複数のタッチ駆動電極が複数のタッチ駆動電極群に分けられ、前記複数のタッチ駆動電極群の各々が前記複数のタッチ駆動電極のうちの少なくとも２つを含み、
前記複数のタッチ駆動電極群の各々における前記複数のタッチ駆動電極が前記表示領域の外側に位置する周辺領域における第２の接続ワイヤーによって互いに電気的に接続されるインセル型タッチ表示パネル。
【請求項２】
前記複数のタッチ駆動電極にそれぞれ対応して結合され、前記周辺領域まで延伸する複数のタッチ駆動電極リードをさらに備え、
前記複数のタッチ駆動電極群の各々の前記複数のタッチ駆動電極に対応する前記複数のタッチ駆動電極リードが前記第２の接続ワイヤーに結合される請求項１に記載のインセル型タッチ表示パネル。
【発明の詳細な説明】
【技術分野】
【０００１】
本発明は、インセル型タッチ表示パネルに関し、特に、タッチ駆動電極の表示段階における電圧均一性を向上させることができるインセル型タッチ表示パネルに関する。
【背景技術】
【０００２】
電子製品の生産技術の発展につれて、例えば、スマートフォン及びタブレットＰＣ等の大部分の携帯装置は、何れもタッチ操作の機能を具備し、ユーザーの携帯装置での利用がより便利となる。従来、発展してきた表示装置に用いられるタッチパネル技術は、カバーガラス一体化技術（ｏｎｅ  ｇｌａｓｓ  ｓｏｌｕｔｉｏｎ；ＯＧＳ）、オンセル型タッチパネル技術（ｏｎ−ｃｅｌｌ  ｔｏｕｃｈ）及びインセル型タッチパネル技術（ｉｎ−ｃｅｌｌ  ｔｏｕｃｈ）等を含む。これらのタッチパネル技術では、インセル型タッチパネル技術は、タッチ電極を表示パネルの液晶ピクセルレイヤーの中に製作するため、表示パネルの厚さを軽量化するというメリットを有する。しかしながら、インセル型タッチ表示パネルにおいて、画面表示とタッチ検知が異なる期間下で行われる必要があり、表示段階の時間が制限され、これにより各ピクセルの電圧の不一致を導くことがある。
【発明の概要】
【発明が解決しようとする課題】
【０００３】
本発明の目的は、周辺領域における接続ワイヤーの設置によりタッチ駆動電極の表示段階における電圧均一性を向上させることができることを特徴とするインセル型タッチ表示パネルを提供することにある。また、周辺領域において設置される接続ワイヤーは、表示領域における回路素子と同一のプロセスによって形成されてもよいため、インセル型タッチ表示パネルの全体のプロセスステップは増加しない。
【課題を解決するための手段】
【０００４】
本発明の一態様は、複数のタッチ駆動電極と、複数のタッチ検知電極と、を備えるインセル型（ｉｎ−ｃｅｌｌ）タッチ表示パネルを提供する。これらのタッチ駆動電極及びこれらのタッチ検知電極は、インセル型タッチ表示パネルの表示領域に位置し且つ交差して設置される。これらのタッチ駆動電極は、複数のタッチ駆動電極群に分けられ、複数のタッチ駆動電極群の各々がタッチ駆動電極の少なくとも２つを含み、且つ複数のタッチ駆動電極群の各々におけるタッチ駆動電極が互いに電気的に接続される。
【０００５】
１つ又は複数の実施例において、上記複数のこれらのタッチ駆動電極群の各々におけるこれらのタッチ駆動電極は、表示領域の外側に位置する周辺領域における接続ワイヤーによって互いに電気的に接続される。
【０００６】
１つ又は複数の実施例において、上記複数のこれらのタッチ駆動電極群の各々のこれらのタッチ駆動電極は、表示領域の仮想中心軸の両側に対称的に配列される。
【０００７】
１つ又は複数の実施例において、上記インセル型タッチ表示パネルは、それぞれ複数のタッチ駆動電極に対応して結合され、周辺領域まで延伸する複数のタッチ駆動電極リードを更に備え、且つ複数のタッチ駆動電極群の各々におけるタッチ駆動電極に対応するこれらのタッチ駆動電極リードが接続ワイヤーに結合される。
【０００８】
本発明の別の態様は、複数のタッチ駆動電極と、複数のタッチ検知電極と、を備えるインセル型タッチ表示パネルを提供することにある。これらのタッチ駆動電極及びこれらのタッチ検知電極は、インセル型タッチ表示パネルの表示領域に位置して交差して設置される。複数のタッチ駆動電極それぞれの両端は、接続ワイヤーに結合されることにより、接続ワイヤーを経由して互いに電気的に接続される。
【０００９】
１つ又は複数の実施例において、上記インセル型タッチ表示パネルは、タッチ駆動電極にそれぞれ対応して結合される複数のタッチ駆動電極リードを更に備え、複数のタッチ駆動電極リードの各々が対応するタッチ駆動電極の両端から周辺領域まで延伸し、且つ複数のタッチ駆動電極に対応するタッチ駆動電極リードが接続ワイヤーに結合される。
【００１０】
本発明の別の態様は、複数のタッチ駆動電極と、複数のタッチ検知電極と、を備えるインセル型タッチ表示パネルを提供することにある。タッチ駆動電極及びタッチ検知電極は、インセル型タッチ表示パネルの表示領域に位置し且つ交差して設置される。複数のタッチ駆動電極の両端は、第１の接続ワイヤーにそれぞれ結合されることにより、第１の接続ワイヤーを経由して互いに電気的に接続される。タッチ駆動電極は、複数のタッチ駆動電極群に分けられ、複数の前記タッチ駆動電極群の各々がタッチ駆動電極の少なくとも２つを含み、且つ複数のタッチ駆動電極群の各々におけるタッチ駆動電極が互いに電気的に接続される。
【００１１】
１つ又は複数の実施例において、上記複数のタッチ駆動電極群の各々におけるこれらのタッチ駆動電極は、表示領域の外側に位置する周辺領域における接続ワイヤーによって互いに電気的に接続される。
【００１２】
１つ又は複数の実施例において、上記複数のタッチ駆動電極群の各々のタッチ駆動電極は、表示領域の仮想中心軸の両側に対称的に配列される。
【００１３】
１つ又は複数の実施例において、上記インセル型タッチ表示パネルは、タッチ駆動電極にそれぞれ対応して結合される複数のタッチ駆動電極リードをさらに備える。複数のタッチ駆動電極リードの各々は周辺領域まで延伸し、且つ複数のタッチ駆動電極の各々に対応するタッチ駆動電極リードが接続ワイヤーに結合される。
【発明の効果】
【００１４】
本発明のインセル型タッチ表示パネルは、周辺領域における接続ワイヤー設置によりタッチ駆動電極の表示段階における電圧均一性を向上させることができることを特徴とする。また、周辺領域に設置される接続ワイヤーは、表示領域における回路素子と同一のプロセスによって形成されてもよいため、インセル型タッチ表示パネルの全体のプロセスステップは増加しない。
【００１５】
また、本発明に係るインセル型タッチ表示パネルにおいて、同一のタッチ駆動電極群におけるタッチ駆動電極は、周辺領域において設置される接続ワイヤーによって互いに電気的に接続されるが、表示領域において追加の素子又は回路がないため、表示領域の全体のプロセス及び光透過率等に影響を与えない。
【００１６】
添付図面を参照してなされる下記の簡単な説明は、実施例及びそのメリットをより分かりやすくするためのものである。
【図面の簡単な説明】
【００１７】
【図１】本発明のいくつかの実施例によるインセル型タッチ表示パネルを示す模式図である。
【図２】本発明のいくつかの実施例によるインセル型タッチ表示パネルを示す模式図である。
【図３】本発明のいくつかの実施例によるインセル型タッチ表示パネルを示す模式図である。
【発明を実施するための形態】
【００１８】
以下、実施例によって本発明の概要を説明するが、これらの実施例は、本発明をこれらの実施例に記載の何れの特定の環境、適用又は特殊の実施形態によって限定するためのものではない。従って、これらの実施例についての説明は、本発明を説明するためのものだけであり、本発明を限定するためのものではない。下記実施例及び図面において、本発明に直接の関係がない素子が示されずに省略され、図面における各素子同士の寸法関係は実際の比率を限定するためのものではなく、理解しやすくするためのものだけである。
【００１９】
本文において、「第１の」及び「第２の」等の用語は、各種の素子、部品、領域、層及び/又は部分を記述することに用いられているが、これらの素子、部品、領域、層及び/又は部分を制限するものではないことが理解されるべきである。これらの用語は、素子、部品、領域、層及び/又は部分と別の素子、部品、領域、層及び/又は部分を識別するためのものだけである。
【００２０】
図１は、本発明のいくつかの実施例によるインセル型タッチ表示パネル１００を示す模式図である。インセル型タッチ表示パネル１００は、表示領域ＡＡと、表示領域ＡＡの外側に位置して表示領域ＡＡを取り囲む周辺領域ＰＡと、を有する。表示領域ＡＡは、タッチ駆動電極ＴＸ（１）〜ＴＸ（８）と、タッチ検知電極ＲＸ（１）〜ＲＸ（１０）と、を有し、タッチ駆動電極ＴＸ（１）〜ＴＸ（８）とタッチ検知電極ＲＸ（１）〜ＲＸ（１０）とが互いに垂直に配列される。タッチ駆動電極ＴＸ（１）〜ＴＸ（８）及びタッチ検知電極ＲＸ（１）〜ＲＸ（１０）は、例えば、酸化インジウムスズ（ｉｎｄｉｕｍ  ｔｉｎ  ｏｘｉｄｅ；ＩＴＯ）又はインジウム亜鉛酸化物（ｉｎｄｉｕｍ  ｚｉｎｃ  ｏｘｉｄｅ；ＩＺＯ）等の透明な導電材によって構成されてもよいが、これらに制限されない。周辺領域ＰＡは、駆動回路Ｄを有し、検知信号をタッチ駆動電極ＴＸ（１）〜ＴＸ（８）に伝送するとともに、タッチ検知電極ＲＸ（１）〜ＲＸ（１０）を検出するようにタッチ駆動電極ＴＸ（１）〜ＴＸ（８）及びタッチ検知電極ＲＸ（１）〜ＲＸ（１０）に電気的に接続される。物体（例えば、人の指、タッチペン等）を用いてインセル型タッチ表示パネル１００を操作している場合、タッチ駆動電極ＴＸ（１）〜ＴＸ（８）とタッチ検知電極ＲＸ（１）〜ＲＸ（１０）との間の電気容量は変わる。駆動回路Ｄがタッチ駆動電極ＴＸ（１）〜ＴＸ（８）とタッチ検知電極ＲＸ（１）〜ＲＸ（１０）との間の電気容量を検出することにより、物体のインセル型タッチ表示パネル１００における位置を決定できる。
【００２１】
ある実施例において、タッチ駆動機能に加え、駆動回路Ｄは、表示領域ＡＡにおける複数の画素の各々（図示せず）を駆動して、表示領域ＡＡに対応する影像を表示させるための画素駆動機能を更に提供する。表示領域ＡＡにおける複数の画素の各々は、共通電極（図示せず）を有する。ある実施例において、これらの共通電極の一部は、タッチ駆動電極ＴＸ（１）〜ＴＸ（８）を構成するが、これらの共通電極の別の一部は、タッチ検知電極ＲＸ（１）〜ＲＸ（１０）を構成する。インセル型タッチ表示パネル１００では、複数のフレーム（ｆｒａｍｅ）の各々が表示段階及びタッチ検知段階に分けられてもよい。表示段階において、駆動回路Ｄは、表示領域ＡＡにおいて対応する画面を表示するように、画素電圧及び共通電圧を複数の画素の各々の画素電極（図示せず）及び共通電極に提供する。タッチ検知段階において、駆動回路Ｄは、検知信号をタッチ駆動電極ＴＸ（１）〜ＴＸ（８）に提供するとともに、タッチ検知電極ＲＸ（１）〜ＲＸ（１０）を検出する。駆動回路Ｄを表示段階及びタッチ検知段階においてどのように操作するかは本発明の重点ではないため、ここでは説明しない。
【００２２】
図１に示すように、仮想中心線Ｃは、インセル型タッチ表示パネル１００を、対称する２つの領域に分けて、１つの領域がタッチ駆動電極ＴＸ（１）〜ＴＸ（４）と、タッチ検知電極ＲＸ（１）〜ＲＸ（５）と、を含み、別の領域がタッチ駆動電極ＴＸ（５）〜ＴＸ（８）と、タッチ検知電極ＲＸ（６）〜ＲＸ（１０）と、を含む。この２つの領域に対称的に配列される２つのタッチ駆動電極は、それぞれ１つのタッチ駆動電極群を構成して互いに電気的に接続される。つまり、タッチ駆動電極ＴＸ（１）とタッチ駆動電極ＴＸ（８）は、タッチ駆動電極群Ｐ１を構成し、且つタッチ駆動電極ＴＸ（１）とタッチ駆動電極ＴＸ（８）とは、電気的に接続される。タッチ駆動電極ＴＸ（２）とタッチ駆動電極ＴＸ（７）は、タッチ駆動電極群Ｐ２を構成し、且つタッチ駆動電極ＴＸ（２）とタッチ駆動電極ＴＸ（７）とは、電気的に接続される。タッチ駆動電極ＴＸ（３）とタッチ駆動電極ＴＸ（６）は、タッチ駆動電極群Ｐ３を構成し、且つタッチ駆動電極ＴＸ（３）とタッチ駆動電極ＴＸ（６）とは、電気的に接続される。タッチ駆動電極ＴＸ（４）とタッチ駆動電極ＴＸ（５）は、タッチ駆動電極群Ｐ４を構成し、且つタッチ駆動電極ＴＸ（４）とタッチ駆動電極ＴＸ（５）とは、電気的に接続される。
【００２３】
ある実施例において、図１に示すように、タッチ駆動電極ＴＸ（１）〜ＴＸ（８）の各々は、対応するタッチ駆動電極リードＬ（１）〜Ｌ（８）を有する。タッチ駆動電極リードＬ（１）〜Ｌ（８）は、タッチ駆動電極ＴＸ（１）〜ＴＸ（８）にそれぞれ結合され、且つ周辺領域ＰＡまで延伸する。周辺領域ＰＡにおいて、同一のタッチ駆動電極群に含まれる全てのタッチ駆動電極に対応するタッチ駆動電極リードは、同一の接続ワイヤーに結合される。図１に示すように、周辺領域ＰＡにおいて、４本の接続ワイヤーＷ１（１）〜Ｗ１（４）を有し、タッチ駆動電極リードＬ（１）及びＬ（８）が接続ワイヤーＷ１（１）に結合され、タッチ駆動電極リードＬ（２）及びＬ（７）が接続ワイヤーＷ１（２）に結合され、タッチ駆動電極リードＬ（３）及びＬ（６）が接続ワイヤーＷ１（３）に結合され、且つタッチ駆動電極リードＬ（４）及びＬ（５）が接続ワイヤーＷ１（４）に結合される。
【００２４】
インセル型タッチ表示パネル１００において、タッチ駆動電極リードＬ（１）〜Ｌ（８）及び接続ワイヤーＷ１（１）〜Ｗ１（４）は、導電材によって構成されてもよく、この導電材と表示領域ＡＡにおける回路素子（図示せず）とは同一であり、且つタッチ駆動電極リードＬ（１）〜Ｌ（８）及び接続ワイヤーＷ１（１）〜Ｗ１（４）は、表示領域ＡＡにおける回路素子（図示せず）と同一のプロセスによって形成されてもよい。また、ある実施例において、タッチ駆動電極リードＬ（１）〜Ｌ（８）と接続ワイヤーＷ１（１）〜Ｗ１（４）とは、直接的接触（ｄｉｒｅｃｔ  ｃｏｎｔａｃｔ）であってもよい。例としては、タッチ駆動電極リードＬ（１）及びＬ（８）は、ビア（Ｖｉａ）によって接続ワイヤーＷ１（１）と直接的に接触してもよい。
【００２５】
図１の実施例において、周辺領域ＰＡに設置される接続ワイヤーにより、同一のタッチ駆動電極群に含まれる全てのタッチ駆動電極が電気的に接続される。このようにして、同一のタッチ駆動電極群に含まれる全てのタッチ駆動電極は、表示段階において同一の電圧値を提供することができ、タッチ駆動電極の表示段階での電圧均一化に寄与する。また、同一のタッチ駆動電極群に含まれるタッチ駆動電極は、周辺領域ＰＡに設置される接続ワイヤーによって互いに電気的に接続されるが、表示領域ＡＡにおいて追加の素子又は回路を有していないため、表示領域の全体のプロセス及び光透過率等に影響を与えない。なお、周辺領域ＰＡにおいて設置される接続ワイヤーは、表示領域ＡＡにおける回路素子（図示せず）と同一のプロセスによって形成されてもよいため、インセル型タッチ表示パネル１００の全体のプロセスステップは増加しない。
【００２６】
注意すべきなのは、図１に示す接続ワイヤーの数量及びそれとタッチ駆動電極リードＬ（１）〜Ｌ（８）との接続関係は、本発明の範囲を制限するためのものではなく、例を挙げることのみを目的とする。例えば、他の実施例において、インセル型タッチ表示パネル１００の周辺領域において２つの接続ワイヤーを設置してもよく、１本の接続ワイヤーがタッチ駆動電極リードＬ（１）、Ｌ（２）、Ｌ（７）及びＬ（８）に結合され、別の１本の接続ワイヤーがタッチ駆動電極リードＬ（３）〜Ｌ（６）に結合される。従って、本発明の開示内容によって考えられる変形例は、何れも本発明の範囲に属する。
【００２７】
図２は、本発明のいくつかの実施例によるインセル型タッチ表示パネルを示す模式図である。インセル型タッチ表示パネル２００は、表示領域ＡＡと、表示領域ＡＡの外側に位置して表示領域ＡＡを取り囲む周辺領域ＰＡと、を有する。表示領域は、タッチ駆動電極ＴＸ（１）〜ＴＸ（８）と、タッチ検知電極ＲＸ（１）〜ＲＸ（１０）と、を有し、タッチ駆動電極ＴＸ（１）〜ＴＸ（８）とタッチ検知電極ＲＸ（１）〜ＲＸ（１０）とが互いに垂直に配列される。周辺領域ＰＡは、駆動回路Ｄを有し、検知信号をタッチ駆動電極ＴＸ（１）〜ＴＸ（８）に伝送するとともに、タッチ検知電極ＲＸ（１）〜ＲＸ（１０）を検出するようにタッチ駆動電極ＴＸ（１）〜ＴＸ（８）及びタッチ検知電極ＲＸ（１）〜ＲＸ（１０）に電気的に接続される。図２のタッチ駆動電極ＴＸ（１）〜ＴＸ（８）、タッチ検知電極ＲＸ（１）〜ＲＸ（１０）及び駆動回路Ｄに関する配置が何れも図１と同一なので、関連説明は前の段落を参照して、ここに説明しない。
【００２８】
ある実施例において、タッチ駆動機能に加え、駆動回路Ｄは、表示領域ＡＡにおける複数の画素の各々（図示せず）を駆動し、表示領域ＡＡに対応する影像を表示させるための画素駆動機能を更に提供する。表示領域ＡＡにおける複数の画素の各々は、共通電極（図示せず）を有する。ある実施例において、これらの共通電極の一部は、タッチ駆動電極ＴＸ（１）〜ＴＸ（８）を構成するが、これらの共通電極の別の一部は、タッチ検知電極ＲＸ（１）〜ＲＸ（１０）を構成する。
【００２９】
図２に示すように、タッチ駆動電極ＴＸ（１）〜ＴＸ（８）の各々は、対応するタッチ駆動電極リードＬ（１）〜Ｌ（８）を有する。タッチ駆動電極リードＬ（１）〜Ｌ（８）は、タッチ駆動電極ＴＸ（１）〜ＴＸ（８）にそれぞれ結合され、且つタッチ駆動電極リードＬ（１）〜Ｌ（８）は、タッチ駆動電極ＴＸ（１）〜ＴＸ（８）の両端から周辺領域ＰＡまでそれぞれ延伸し、タッチ駆動電極リードＬ（１）〜Ｌ（８）の一端が駆動回路Ｄに結合される。周辺領域ＰＡにおいて、同一のタッチ駆動電極の両端は、同一の接続ワイヤーに結合される。図２に示すように、周辺領域ＰＡにおいて、８本の接続ワイヤーＷ２（１）〜Ｗ２（８）を有し、対応するタッチ駆動電極リードＬ（１）〜Ｌ（８）の両端にそれぞれ結合される。つまり、接続ワイヤーＷ２（ｉ）は、タッチ駆動電極リードＬ（ｉ）の両端に結合される。
【００３０】
ある実施例において、図２に示すように、仮想中心線Ｃは、インセル型タッチ表示パネル２００を対称する２つの領域に分けて、１つの領域が接続ワイヤーＷ２（１）〜Ｗ２（４）を含み、別の領域が接続ワイヤーＷ２（５）〜Ｗ２（８）を含む。図２において、接続ワイヤーＷ２（１）と接続ワイヤーＷ２（８）とは、線対称であり、接続ワイヤーＷ２（２）と接続ワイヤーＷ２（７）とは、線対称となり、接続ワイヤーＷ２（３）と接続ワイヤーＷ２（６）とは、線対称となり、且つ接続ワイヤーＷ２（４）と接続ワイヤーＷ２（５）とは、線対称となる。他の実施例において、接続ワイヤーＷ２（１）〜Ｗ２（８）は、インセル型タッチ表示パネル２００の同一側に位置してもよい。
【００３１】
インセル型タッチ表示パネル２００において、タッチ駆動電極リードＬ（１）〜Ｌ（８）及び接続ワイヤーＷ２（１）〜Ｗ２（８）は、導電材によって構成されてもよく、この導電材と表示領域ＡＡにおける回路素子（図示せず）とは同一であり、且つタッチ駆動電極リードＬ（１）〜Ｌ（８）及び接続ワイヤーＷ１（１）〜Ｗ２（８）は、表示領域ＡＡにおける回路素子（図示せず）と同一のプロセスによって形成されてもよい。また、ある実施例において、タッチ駆動電極リードＬ（１）〜Ｌ（８）と接続ワイヤーＷ２（１）〜Ｗ２（８）とは、直接的接触（ｄｉｒｅｃｔ  ｃｏｎｔａｃｔ）であってもよい。例としては、タッチ駆動電極リードＬ（１）の両端は、ビアによって接続ワイヤーＷ２（１）と直接的に接触してもよい。
【００３２】
図２の実施例において、周辺領域ＰＡに設置される接続ワイヤーにより、複数のタッチ駆動電極の各々の両端に別の電気的接続経路を提供し、タッチ駆動電極における駆動回路Ｄから離れる側の駆動回路Ｄに対するインピーダンスを低減させることができる。このようにして、同一のタッチ駆動電極に含まれる全ての共通電極は、表示段階において対象電圧値を容易に達成でき、且つ表示段階において同一の電圧値を提供することができ、タッチ駆動電極の表示段階における電圧均一化に寄与する。また、複数のタッチ駆動電極の各々の両端は、周辺領域ＰＡに設置される接続ワイヤーによって互いに電気的に接続されるが、表示領域ＡＡにおいて追加の素子又は回路を有していないため、表示領域の全体のプロセス及び光透過率等に影響を与えない。なお、周辺領域ＰＡに設置される接続ワイヤーは、表示領域ＡＡにおける回路素子（図示せず）と同一のプロセスによって形成されてもよいため、インセル型タッチ表示パネル２００の全体のプロセスステップは増加しない。
【００３３】
ある実施例において、インセル型タッチ表示パネルは、図１に示す接続ワイヤーＷ１（１）〜Ｗ１（４）と図２に示す接続ワイヤーＷ２（１）〜Ｗ２（８）とを同時に有してもよい。図３を参照されたい。図３は、本発明のいくつかの実施例によるインセル型タッチ表示パネルを示す模式図である。図１のインセル型タッチ表示パネル１００と比べて、図３のインセル型タッチ表示パネル３００は、図２に示す接続ワイヤーＷ２（１）〜Ｗ２（８）を更に備える。図３のタッチ駆動電極ＴＸ（１）〜ＴＸ（８）、タッチ検知電極ＲＸ（１）〜ＲＸ（１０）、駆動回路Ｄ及び接続ワイヤーＷ１（１）〜Ｗ１（４）に関する配置は何れも図１と同一である。また、接続ワイヤーＷ２（１）〜Ｗ２（８）に関する配置は図２と同一なので、関連説明は前の段落を参照して、ここに説明しない。ある実施例において、接続ワイヤーＷ１（１）、Ｗ２（１）及びＷ２（８）は、同一の接続ワイヤーを形成してもよく、接続ワイヤーＷ１（２）、Ｗ２（２）及びＷ２（７）は、同一の接続ワイヤーを形成してもよく、接続ワイヤーＷ１（３）、Ｗ２（３）及びＷ２（６）は、同一の接続ワイヤーを形成してもよく、且接続ワイヤーＷ１（４）、Ｗ２（４）及びＷ２（５）は、同一の接続ワイヤーを形成してもよい。
【００３４】
インセル型タッチ表示パネル３００において、タッチ駆動電極リードＬ（１）〜Ｌ（８）、接続ワイヤーＷ１（１）〜Ｗ１（４）及び接続ワイヤーＷ２（１）〜Ｗ２（８）は、導電材によって構成されてもよく、この導電材と表示領域ＡＡにおける回路素子（図示せず）とは同一であり、且つタッチ駆動電極リードＬ（１）〜Ｌ（８）、接続ワイヤーＷ１（１）〜Ｗ１（４）及び接続ワイヤーＷ２（１）〜Ｗ２（８）は、表示領域ＡＡにおける回路素子（図示せず）と同一のプロセスによって形成されてもよい。また、ある実施例において、タッチ駆動電極リードＬ（１）〜Ｌ（８）、接続ワイヤーＷ１（１）〜Ｗ１（４）及び接続ワイヤーＷ２（１）〜Ｗ２（８）は、直接的接触（ｄｉｒｅｃｔ  ｃｏｎｔａｃｔ）であってもよい。例としては、タッチ駆動電極リードＬ（１）及びＬ（８）は、ビアによって接続ワイヤーＷ１（１）と直接的に接触してもよく、且つタッチ駆動電極リードＬ（１）の両端がビアによって接続ワイヤーＷ２（１）と直接的に接触してもよい。
【００３５】
本発明の技術的特徴を説明しやすくするために、図面には、８つのタッチ駆動電極及び１０つのタッチ検知電極のみを例とすることを理解されたい。実際に、上記実施例に制限されなく、さまざまな要求（例えば、寸法、解像度、光透過率等）によってインセル型タッチ表示パネルを設計してもよい。
【００３６】
本発明を実施形態で上記の通りに開示したが、これは、本発明を制限するものではなく、当業者であれば、本発明の思想と範囲から逸脱しない限り、多様の変更や修正を加えることができ、したがって、本発明の保護範囲は、下記添付の特許請求の範囲で指定した内容を基準とするものである。
【符号の説明】
【００３７】
１００、２００、３００  インセル型タッチ表示パネル
ＡＡ  表示領域
Ｃ  仮想中心軸
Ｄ  駆動回路
Ｌ（１）〜Ｌ（８）  タッチ駆動電極リード
Ｐ１〜Ｐ４  タッチ駆動電極群
ＰＡ  周辺領域
ＲＸ（１）〜ＲＸ（１０）  タッチ検知電極
ＴＸ（１）〜ＴＸ（８）  タッチ駆動電極
Ｗ１（１）〜Ｗ１（４）、Ｗ２（１）〜Ｗ２（１０）  接続ワイヤー
【図１】
0006290271.tif 000002
【図２】
0006290271.tif 000003
【図３】
0006290271.tif 000004